(57)【要約】【課題】より利便性の高いデジタル放送信号を送出することができるデジタル放送のデータ送出方法を提供する。【解決手段】データ送出方法は、番組情報を符号化して所定の形式に変換するステップと、属性情報に基づいてメタデータを生成するステップと、番組付加情報と前記属性情報とに基づいて、前記メタデータ伝送の有無を示す情報を含むサービス情報テーブルを生成するステップと、前記変換された番組情報と、前記サービス情報テーブルと、前記メタデータとを多重化して伝送用のトランスポートストリームを生成するステップと、前記生成されるトランスポートストリームを送出するステップと、を有する。【選択図】      図１
2011223353.tif 000002
【特許請求の範囲】
【請求項１】
番組情報を符号化して所定の形式に変換するステップと、
属性情報に基づいてメタデータを生成するステップと、
番組付加情報と前記属性情報とに基づいて、前記メタデータ伝送の有無を示す情報を含むサービス情報テーブルを生成するステップと、
前記変換された番組情報と、前記サービス情報テーブルと、前記メタデータとを多重化して伝送用のトランスポートストリームを生成するステップと、
前記生成されるトランスポートストリームを送出するステップと、
を有することを特徴とするデジタル放送のデータ送出方法。
【請求項２】
前記サービス情報テーブルを生成するステップは、サービス毎、ブロードキャスタ毎、トランスポートストリーム毎、またはネットワーク毎にメタデータ伝送の有無を示す情報をサービス情報テーブルに挿入することを特徴とする請求項１に記載のデータ送出方法。
【請求項３】
前記サービス情報テーブルを生成するステップは、サービス毎にメタデータ伝送の有無を示す情報をサービス情報テーブルとしてのサービス記述テーブルに挿入することを特徴とする請求項２に記載のデータ送出方法。
【請求項４】
前記サービス情報テーブルを生成するステップは、ブロードキャスタ毎にメタデータ伝送の有無を示す情報をサービス情報テーブルとしてのブロードキャスタ情報テーブルに挿入することを特徴とする請求項２に記載のデータ送出方法。
【請求項５】
前記サービス情報テーブルを生成するステップは、ネットワーク毎、またはトランスポートストリーム毎にメタデータ伝送の有無を示す情報をサービス情報テーブルとしてのネットワーク情報テーブルに挿入することを特徴とする請求項２に記載のデータ送出方法。
【請求項６】
前記メタデータを生成するステップは、複数のサービスのメタデータを１サービス内にまとめて生成し、
前記サービス情報テーブルを生成するステップは、複数のメタデータをまとめて生成したサービスの種別がメタデータ専用データであることを示すサービス種別情報を、サービス情報テーブルに挿入することを特徴とする請求項２に記載のデータ送出方法。
【請求項７】
前記メタデータを生成するステップは、サービスのメタデータを１サービスの中に生成し、
前記サービス情報テーブルを生成するステップは、サービス記述テーブルに記述されているサービスのメタデータを有するサービスを特定する為の情報をサービス情報テーブルに挿入することを特徴とする請求項２に記載のデータ送出方法。
【発明の詳細な説明】
【技術分野】
【０００１】
本発明の実施形態は、デジタル放送の番組関連情報データを送出するデジタル放送方式のデータ送出方法に関する。
【背景技術】
【０００２】
従来のデジタル放送ではＭＰＥＧ-２  Ｓｙｓｔｅｍｓ（ＩＳＯ／ＩＥＣ１３８１８−１）に規定されるＴＳ（Ｔｒａｎｓｐｏｒｔ  Ｓｔｒｅａｍ）に基づいて映像、及び音声等の信号を送出する。ＴＳを送出するデータ送出方法は、例えば映像及び音声などからなる複数のコンテンツを符号化し、この符号化したデータを所定の長さに分割してパケット化し、パケットを多重化してＴＳを生成し、この生成したＴＳに対し伝送路符号化などを施して電波、またはネットワークなどにより送出する。
【０００３】
ＴＳを受信する受信装置は、必要な信号のパケットをフィルタリングして抽出して合成することにより、所望のコンテンツを取得することができる。
【先行技術文献】
【特許文献】
【０００４】
【特許文献１】特開２００２−２５１３２８号公報
【発明の概要】
【発明が解決しようとする課題】
【０００５】
デジタル放送では受信装置において、受信するＴＳから所望の番組を特定し、番組を構成する映像、音声等の各信号を多重分離するために、やはりＴＳ中に多重されたProgram Specific Information/Service Information（ＰＳＩ／ＳＩ）を利用する。
【０００６】
また、番組に関する詳細な情報を示すメタデータをＴＳに多重して送信する場合がある。この場合、上記したデータ送出方法は、番組を伝送するサービス内のｅｌｅｍｅｎｔａｒｙ  ｓｔｒｅａｍ内にメタデータを格納し、受信装置に伝送する。
【０００７】
ＴＳを受信する受信装置は、サービスのＥＳからＸＭＬ形式の記述言語型メタデータ(
以下、単にメタデータと記述）を抽出する。この為、受信装置は、Ｐｒｐｇｒａｍ  Ｍａｐ  Ｔａｂｌｅ（ＰＭＴ）を取得するまでメタデータ伝送の有無を判断することが出来ない。この為、受信装置における処理の効率が低下する可能性があるという問題がある。
【０００８】
また、メタデータがＰＭＴの下位に存在する為、複数のサービスのメタデータを一括して送信することができないという問題がある。
【０００９】
そこで、より利便性の高いデジタル放送信号を送出することができるデジタル放送方式のデータ送出方法を提供することを目的とする。
【課題を解決するための手段】
【００１０】
一実施形態に係るデジタル放送方式のデータ送出方法は、番組情報を符号化して所定の形式に変換するステップと、属性情報に基づいてメタデータを生成するステップと、番組付加情報と前記属性情報とに基づいて、前記メタデータ伝送の有無を示す情報を含むサービス情報テーブルを生成するステップと、前記変換された番組情報と、前記サービス情報テーブルと、前記メタデータとを多重化して伝送用のトランスポートストリームを生成するステップと、前記生成されるトランスポートストリームを送出するステップと、を有する。
【図面の簡単な説明】
【００１１】
【図１】図１は、一実施形態に係るデジタル放送方式のデータ送出方法の例について説明するための図である。
【図２】図２は、ＳＩのデータの例について説明する為の説明図である。
【図３】図３は、ＳＩのデータの例について説明する為の説明図である。
【図４】図４は、ＳＩのデータの例について説明する為の説明図である。
【図５】図５は、ＳＩに挿入されるサービスリスト記述子の例について説明する為の説明図である。
【図６】図６は、図５に示すｓｅｒｖｉｃｅ＿ｔｙｐｅの例について説明する為の説明図である。
【図７】図７は、ＳＩに挿入されるリンク記述子の例について説明する為の説明図である。
【図８】図８は、図７に示すｌｉｎｋａｇｅ＿ｔｙｐｅの例について説明する為の説明図である。
【発明を実施するための形態】
【００１２】
以下、図を参照しながら、一実施形態に係るデジタル放送のデータ送出方法について詳細に説明する。
【００１３】
図１は、一実施形態に係るＴＳ送出方法の例について説明するための図である。
【００１４】
データ送出装置１００は、入力される番組情報、及び番組付加情報に基づいて複数のパケットを多重化し、ＴＳを生成し、生成したＴＳを電波、またはネットワークなどにより送出する。
【００１５】
番組は、同一のサービス(編成チャンネル）に属していて、且つ、開始及び終了時刻が定められた放送データストリーム構成要素の集合体である。放送データストリーム構成要素は、例えば、映像信号、音声信号、及び字幕信号のうちの１つ、または複数を含む。
【００１６】
データ送出装置１００は、映像エンコーダ１１１、映像変換部１１２、音声エンコーダ１２１、音声変換部１２２、ＰＳＩ／ＳＩ生成部１３１、メタデータ生成部１４１、マルチプレクサ１５０、及び伝送路符号化部１６０を備える。
【００１７】
映像エンコーダ１１１は、入力される番組情報としての映像データに対してエンコードを行う。映像エンコーダ１１１は、エンコードした映像データを映像変換部１１２に送信する。
【００１８】
映像変換部１１２は、映像エンコーダ１１１によりエンコードした映像データを、伝送方式に適合するフォーマットに変換する。即ち、映像変換部１１２は、映像データをＰＥＳ（Ｐａｃｋｅｔｉｚｅｄ  Ｅｌｅｍｅｎｔａｒｙ  Ｓｔｒｅａｍ）化する。映像変換部１１２は、生成したＰＥＳパケットをマルチプレクサ１５０に送信する。
【００１９】
音声エンコーダ１２１は、入力される番組情報としての音声データに対してエンコードを行う。音声エンコーダ１２１は、エンコードした音声データを音声変換部１２２に送信する。
【００２０】
音声変換部１２２は、音声エンコーダ１２１によりエンコードした音声データを、伝送方式に適合するフォーマットに変換する。即ち、音声変換部１２２は、音声データをＰＥＳパケット化する。音声変換部１２２は、生成したＰＥＳパケットをマルチプレクサ１５０に送信する。
【００２１】
ＰＳＩ／ＳＩ生成部１３１は、入力される番組付加情報に基づいて、ＰＳＩまたはＳＩなどのサービス情報テーブル（ＰＳＩ／ＳＩテーブル）を生成する。
【００２２】
ＰＳＩは、ＭＰＥＧ−２システムズ規格で規定された伝送制御信号である。ＰＳＩは、受信装置における多重分離処理、及び再生処理に用いられる。
【００２３】
ＳＩは、例えばＡＲＩＢ  ＳＴＤ―Ｂ１０に規定される番組配列情報とする。ＳＩは、放送データストリームの分配システム、内容、スケジュール、及びタイミング、などを記述するデジタルデータである。ＳＩは、ＰＳＩの構成と、独自に定義された拡張部分とを有する。ＳＩは、受信装置において視聴者に対して行われる編成チャンネルの表示、及び番組の情報の表示などに用いられる。
【００２４】
ＰＳＩ／ＳＩ生成部１３１は、入力される番組付加情報に基づいて、例えばＰｒｏｇｒａｍ  Ａｓｓｏｃｉａｔｉｏｎ  Ｔａｂｌｅ（ＰＡＴ)、Ｐｒｏｇａｒｍ  Ｍａｐ  Ｔａｂｌｅ（ＰＭＴ）、Ｃｏｎｄｉｔｉｏｎａｌ  Ａｃｃｅｓｓ  Ｔａｂｌｅ（ＣＡＴ）、及びＮｅｔｗｏｒｋ  Ｉｎｆｏｒｍａｔｉｏｎ  Ｔａｂｌｅ（ＮＩＴ）などのＰＳＩテーブルを生成する。
【００２５】
また、ＰＳＩ／ＳＩ生成部１３１は、入力される番組付加情報に基づいて、Ｓｅｒｖｉｃｅ  Ｄｅｓｃｒｉｐｔｉｏｎ  Ｔａｂｌｅ（ＳＤＴ）、Ｅｖｅｎｔ  Ｉｎｆｏｒｍａｔｉｏｎ  Ｔａｂｌｅ（ＥＩＴ）、及びＢｒｏａｄｃａｓｔｅｒ  Ｉｎｆｏｒｍａｔｉｏｎ  Ｔａｂｌｅ（ＢＩＴ）などのＳＩテーブルを生成する。ＰＳＩ／ＳＩ生成部１３１は、生成したサービス情報テーブルをマルチプレクサ１５０に送信する。
【００２６】
メタデータ生成部１４１は、入力されるサービスに関する属性情報に基づいて、メタデータを生成する。メタデータは例えばＡＲＩＢ  ＳＴＤ−Ｂ３８に規定されるＸＭＬ形式の記述言語型メタデータとする。メタデータ生成部１４１は、生成したメタデータをＩＰパケット多重化部１４２に送信する。また、メタデータ生成部１４１は、メタデータを生成した旨をＰＳＩ／ＳＩ生成部１３１に通知する。ＰＳＩ／ＳＩ生成部１３１は、メタデータ生成部１４１からメタデータを生成した旨の通知を受け取る場合、生成するサービス情報テーブル内にメタデータが存在することを示す情報を記述する。
【００２７】
なお、メタデータ生成部１４１は、サービス毎、ブロードキャスタ毎、ＴＳ毎、またはネットワーク毎にメタデータ伝送の有無をＰＳＩ／ＳＩ生成部１３１に通知する。
【００２８】
ＩＰパケット多重化部１４２は、メタデータ生成部１３１により生成される少なくとも１つのメタデータをファイルとして固定長に分割し、ＦＩＬＥ  ｄｅｌｉｖｅｒｙ  ｏｖｅｒ  ｕｎｉｄｉｒｅｃｔｉｏｎａｌ  ｔｒａｎｓｐｏｒｔ（ＦＬＵＴＥ）プロトコルを適用する。この際、受信時に欠損データの修復を可能とするため、誤り訂正符号化を併用することもある。さらにこの分割データはＵＤＰパケットやＩＰパケットに格納する。この際、ＩＰパケットのヘッダに対しては圧縮処理などを施すこともある。そして、ＲＦＣ４３２６で規定されるＵＬＥ（Ｕｎｉｄｉｒｅｃｔｉｏｎａｌ  Ｌｉｇｈｔｗｅｉｇｈｔ  Ｅｎｃａｐｓuｌａｔｉｏｎ）方式により、このデータグラムをカプセル化してマルチプレクサ１５０に送信する。
【００２９】
マルチプレクサ１５０は、映像変換部１１２及び音声変換部１２２により生成されるＰＥＳパケットと、ＰＳＩ／ＳＩ生成部１３１により生成されるサービス情報テーブルと、ＩＰパケット多重化部１４２でＵＤＰ／ＩＰパケット化されたメタデータとを多重化する。これにより、マルチプレクサ１５０は、ＴＳを生成する。マルチプレクサ１５０は、生成したＴＳを伝送路符号化部１６０に送信する。
【００３０】
伝送路符号化部１６０は、マルチプレクサ１５０により生成されるＴＳに対し誤り訂正符号化処理及び変調処理等を施して、電波、またはネットワークなどにより送出する。これにより、データ送出装置１００は、映像及び音声等のコンテンツデータと、サービス情報テーブルと、メタデータとが多重化されたＴＳを受信装置に伝送することができる。
【００３１】
図２乃至図４は、ＰＳＩ／ＳＩ生成部１３１により生成されるＳＩのデータの例について説明する為の説明図である。図２は、ＰＳＩ／ＳＩ生成部１３１により生成されるＳＤＴの例について示す。図３は、ＰＳＩ／ＳＩ生成部１３１により生成されるＢＩＴの例について示す。図４は、ＰＳＩ／ＳＩ生成部１３１により生成されるＮＩＴの例について示す。
【００３２】
図２乃至図４は、ＰＳＩ／ＳＩ生成部１３１により生成されるＰＳＩ／ＳＩのデータの例について説明する為の説明図である。図２は、ＰＳＩ／ＳＩ生成部１３１により生成されるＳＤＴの例について示す。図３は、ＰＳＩ／ＳＩ生成部１３１により生成されるＢＩＴの例について示す。図４は、ＰＳＩ／ＳＩ生成部１３１により生成されるＮＩＴの例について示す。
【００３３】
ＳＤＴは、ＴＳ内に含まれるサービス（編成チャンネル）に関する情報である。ＢＩＴは、ネットワーク上に存在するブロードキャスタに関する情報である。ＮＩＴは、変調周波数などの伝送路の情報と、放送サービスとを関連付ける情報である。即ち、ＮＩＴは、ネットワーク全体のサービス構成を示す。
【００３４】
ＳＤＴは、サービス記述テーブルである。ＳＤＴは、あるＴＳに含まれる全てのサービスの一覧の記述を有する。ＰＳＩ／ＳＩ生成部１３１は、サービス情報テーブルとしてＳＤＴを生成する場合、サービス毎にメタデータ伝送の有無をまとめて記述することができる。
【００３５】
図２に示すように、ＳＤＴは、「ｓｅｒｖｉｃｅ＿ｉｄ」いうフィールドと「Ｍｅｔａｄａｔａ＿ｆｌａｇ」というフィールドとを有する。「ｓｅｒｖｉｃｅ＿ｉｄ」は、編成チャンネルを特定する為のサービス識別子である。「Ｍｅｔａｄａｔａ＿ｆｌａｇ」は、メタデータ伝送の有無を示すフラグである。「Ｍｅｔａｄａｔａ＿ｆｌａｇ」は、「ｓｅｒｖｉｃｅ＿ｉｄ」で特定されるｓｅｒｖｉｃｅ（編成チャンネル）毎に設けられている。
【００３６】
即ち、ＰＳＩ／ＳＩ生成部１３１は、サービス毎のメタデータ伝送の有無の通知をメタデータ生成部１４１から受信する場合、「ｓｅｒｖｉｃｅ＿ｉｄ」に記述する識別子に対応するサービスのメタデータ伝送の有無に応じて「Ｍｅｔａｄａｔａ＿ｆｌａｇ」の値を記述し、ＳＤＴを生成する。
【００３７】
ＢＩＴは、ブロードキャスタ情報テーブルである。ＢＩＴは、すべてのサービスを事業者グループ（ブロードキャスタ）単位でまとめた記述を有する。ＰＳＩ／ＳＩ生成部１３１は、サービス情報テーブルとしてＢＩＴを生成する場合、ブロードキャスタ単位でメタデータ伝送の有無を記述することができる。
【００３８】
図３に示すように、ＢＩＴは、「ｂｒｏａｄｃａｓｔｅｒ＿ｉｄ」いうフィールドと「Ｍｅｔａｄａｔａ＿ｆｌａｇ」というフィールドとを有する。「ｂｒｏａｄｃａｓｔｅｒ＿ｉｄ」は、ブロードキャスタを特定する為のブロードキャスタ識別子である。「Ｍｅｔａｄａｔａ＿ｆｌａｇ」は、メタデータ伝送の有無を示すフラグである。「Ｍｅｔａｄａｔａ＿ｆｌａｇ」は、「ｂｒｏａｄｃａｓｔｅｒ＿ｉｄ」で特定されるブロードキャスタ毎に設けられている。
【００３９】
即ち、ＰＳＩ／ＳＩ生成部１３１は、ブロードキャスタ毎のメタデータ伝送の有無の通知をメタデータ生成部１４１から受信する場合、「ｂｒｏａｄｃａｓｔｅｒ＿ｉｄ」に記述する識別子に対応するブロードキャスタのメタデータ伝送の有無に応じて「Ｍｅｔａｄａｔａ＿ｆｌａｇ」の値を記述し、ＢＩＴを生成する。
【００４０】
ＮＩＴは、ネットワーク情報テーブルである。ＮＩＴは、受信装置により選択可能な全てのサービスの一覧と、各サービスがどのＴＳに含まれるかの記述とを有する。また、ＰＳＩ／ＳＩ生成部１３１は、サービス情報テーブルとしてＮＩＴを生成する場合、ＴＳ毎、またはネットワーク全体でメタデータ伝送の有無を記述することができる。
【００４１】
図４に示すように、ＮＩＴは、「ｏｒｉｇｉｎａｌ＿ｎｅｔｗｏｒｋ＿ｉｄ」いうフィールドと、「ｔｒａｎｓｐｏｒｔ＿ｓｔｒｅａｍ＿ｉｄ」いうフィールドと、「Ｍｅｔａｄａｔａ＿ｆｌａｇ」というフィールドとを有する。
【００４２】
「ｏｒｉｇｉｎａｌ＿ｎｅｔｗｏｒｋ＿ｉｄ」は、例えばＢＳデジタル放送などのネットワークを特定する為のネットワーク識別子である。「ｔｒａｎｓｐｏｒｔ＿ｓｔｒｅａｍ＿ｉｄ」は、ネットワーク内のＴＳを特定する為のＴＳ識別子である。Ｍｅｔａｄａｔａ＿ｆｌａｇ」は、メタデータ伝送の有無を示すフラグである。「Ｍｅｔａｄａｔａ＿ｆｌａｇ」は、「ｏｒｉｇｉｎａｌ＿ｎｅｔｗｏｒｋ＿ｉｄ」で特定されるネットワーク毎、または「ｔｒａｎｓｐｏｒｔ＿ｓｔｒｅａｍ＿ｉｄ」で特定されるトランスポートストリーム毎に設けられている。
【００４３】
即ち、ＰＳＩ／ＳＩ生成部１３１は、ネットワーク毎のメタデータ伝送の有無の通知をメタデータ生成部１４１から受信する場合、「ｏｒｉｇｉｎａｌ＿ｎｅｔｗｏｒｋ＿ｉｄ」に記述する識別子に対応するネットワークのメタデータ伝送の有無に応じて「Ｍｅｔａｄａｔａ＿ｆｌａｇ」の値を記述し、ＮＩＴを生成する。
【００４４】
また、ＰＳＩ／ＳＩ生成部１３１は、ＴＳ毎のメタデータ伝送の有無の通知をメタデータ生成部１４１から受信する場合、「ｔｒａｎｓｐｏｒｔ＿ｓｔｒｅａｍ＿ｉｄ」に記述する識別子に対応するＴＳのメタデータ伝送の有無に応じて「Ｍｅｔａｄａｔａ＿ｆｌａｇ」の値を記述し、ＮＩＴを生成する。
【００４５】
上記したように、ＰＳＩ／ＳＩ生成部１３１は、ＳＤＴ、ＢＩＴ、またはＮＩＴ内に「Ｍｅｔａｄａｔａ＿ｆｌａｇ」フィールドを設ける。ＰＳＩ／ＳＩ生成部１３１は、サービス毎、ブロードキャスタ毎、ＴＳ毎、またはネットワーク毎のメタデータ伝送の有無を「Ｍｅｔａｄａｔａ＿ｆｌａｇ」フィールドに記述する。
【００４６】
これにより、データ送出装置１００は、メタデータ伝送の有無をサービス毎、ブロードキャスタ毎、ＴＳ毎、またはネットワーク毎で受信装置に通知することができる。これにより、受信装置は、サービス情報テーブルを受信した時点でメタデータ伝送の有無を判断することが出来る。この為、受信装置は、効率的な処理を行う事ができる。この結果、より利便性の高いデジタル放送信号を送出することができるデジタル放送方式のデータ送出方法を提供することができる。
【００４７】
また、サービス種別情報においてサービスがメタデータ伝送専用サービスであることを定義することにより、複数のサービスに関するメタデータを１サービス内でまとめて伝送することができる。
【００４８】
図５は、サービス情報テーブルの記述子領域に挿入されるサービスリスト記述子の例について説明する為の説明図である。
【００４９】
ＳＤＴ、ＢＩＴ、及びＮＩＴは、テーブル内に記述子領域を有する。記述子領域は、種々の記述子を複数挿入することができるフィールドである。
【００５０】
ＰＳＩ／ＳＩ生成部１３１は、例えば、図５に示すサービスリスト記述子（ｓｅｒｖｉｃｅ＿ｌｉｓｔ＿ｄｅｓｃｒｉｐｔｏｒ）をＰＳＩ／ＳＩテーブルの記述子領域に挿入する。ＰＳＩ／ＳＩ生成部１３１は、例えば、サービスリスト記述子をＮＩＴの第２記述子領域に挿入する。
【００５１】
サービスリスト記述子は、ＴＳ内の各サービス、及びサービス形式種別の一覧を記述する為の記述子である。図５に示すように、サービスリスト記述子は、「ｄｅｓｃｒｉｐｔｏｒ＿ｔａｇ」、「ｄｅｓｃｒｉｐｔｏｒ＿ｌｅｎｇｔｈ」、「ｌｏｏｐ」、「ｓｅｒｖｉｃｅ＿ｉｄ」、及び「ｓｅｒｖｉｃｅ＿ｔｙｐｅ」などのフィールドを有する。
【００５２】
「ｄｅｓｃｒｉｐｔｏｒ＿ｔａｇ」は、当該記述子がサービスリスト記述子であることを示す値を記述するためのフィールドである。「ｄｅｓｃｒｉｐｔｏｒ＿ｌｅｎｇｔｈ」は、サービスリスト記述子の記述子長を記述するためのフィールドである。「ｌｏｏｐ」は、ＴＳ内のサービスの数に応じてループを記述するためのフィールドである。
【００５３】
「ｓｅｒｖｉｃｅ＿ｉｄ」は、当該ＴＳに含まれるサービスを識別するための識別子を記述するためのフィールドである。「ｓｅｒｖｉｃｅ＿ｔｙｐｅ」は、当該サービスの種類を示す値を記述するためのフィールドである。
【００５４】
ＰＳＩ／ＳＩ生成部１３１は、ＴＳとして生成するサービスの種類に応じて所定の値を「ｓｅｒｖｉｃｅ＿ｔｙｐｅ」に入力する。ＰＳＩ／ＳＩ生成部１３１は、外部から入力される番組付加情報に基づいてコンテンツの種類を判別する。
【００５５】
デジタル放送におけるサービスには、デジタルＴＶサービス、デジタル音声サービス、データサービス、臨時映像サービス、臨時音声サービス、臨時データサービス、エンジニアリングダウンロードサービス、事前蓄積用データサービス、蓄積専用データサービス、及びブックマーク一覧データサービスなどの種類が存在する。さらに、本実施形態では、メタデータ専用サービスが存在する。
【００５６】
ＰＳＩ／ＳＩ生成部１３１は、デジタル放送のサービスの種別と「ｓｅｒｖｉｃｅ＿ｔｙｐｅ」に入力する値とを対応付けたデータテーブル１３１ａを備える。
【００５７】
ＰＳＩ／ＳＩ生成部１３１は、外部から入力される番組付加情報、または属性情報に基づいてサービスの種別を判別する。ＰＳＩ／ＳＩ生成部１３１は、判別した種類に基づいてデータテーブル１３１ａを参照し、「ｓｅｒｖｉｃｅ＿ｔｙｐｅ」に値を記述する。
【００５８】
図６は、図５に示す「ｓｅｒｖｉｃｅ＿ｔｙｐｅ」に入力する値とサービスの種別とについて説明する為の説明図である。
【００５９】
デジタル放送のサービスの種別が「デジタルＴＶサービス」である場合、ＰＳＩ／ＳＩ生成部１３１は、「ｓｅｒｖｉｃｅ＿ｔｙｐｅ」に「０ｘ０１」を記述する。デジタル放送のサービスの種別が「デジタル音声サービス」である場合、ＰＳＩ／ＳＩ生成部１３１は、「ｓｅｒｖｉｃｅ＿ｔｙｐｅ」に「０ｘ０２」を記述する。デジタル放送のサービスの種別が「デジタルデータサービス」である場合、ＰＳＩ／ＳＩ生成部１３１は、「ｓｅｒｖｉｃｅ＿ｔｙｐｅ」に「０ｘＣ０」を記述する。
【００６０】
デジタル放送のサービスの種別が「臨時映像サービス」である場合、ＰＳＩ／ＳＩ生成部１３１は、「ｓｅｒｖｉｃｅ＿ｔｙｐｅ」に「０ｘＡ１」を記述する。デジタル放送のサービスの種別が「臨時音声サービス」である場合、ＰＳＩ／ＳＩ生成部１３１は、「ｓｅｒｖｉｃｅ＿ｔｙｐｅ」に「０ｘＡ２」を記述する。デジタル放送のサービスの種別が「臨時データサービス」である場合、ＰＳＩ／ＳＩ生成部１３１は、「ｓｅｒｖｉｃｅ＿ｔｙｐｅ」に「０ｘＡ３」を記述する。
【００６１】
デジタル放送のサービスの種別が「エンジニアリングダウンロードサービス」である場合、ＰＳＩ／ＳＩ生成部１３１は、「ｓｅｒｖｉｃｅ＿ｔｙｐｅ」に「０ｘＡ４」を記述する。
【００６２】
デジタル放送のサービスの種別が「事前蓄積用データサービス」である場合、ＰＳＩ／ＳＩ生成部１３１は、「ｓｅｒｖｉｃｅ＿ｔｙｐｅ」に「０ｘＡ８」を記述する。デジタル放送のサービスの種別が「蓄積専用データサービス」である場合、ＰＳＩ／ＳＩ生成部１３１は、「ｓｅｒｖｉｃｅ＿ｔｙｐｅ」に「０ｘＡ９」を記述する。
【００６３】
デジタル放送のサービスの種別が「ブックマーク一覧データサービス」である場合、ＰＳＩ／ＳＩ生成部１３１は、「ｓｅｒｖｉｃｅ＿ｔｙｐｅ」に「０ｘＡＡ」を記述する。
【００６４】
また、ＰＳＩ／ＳＩ生成部１３１は、複数のサービスのメタデータを１サービス内でまとめて伝送する場合、デジタル放送のサービスの種別として「メタデータ専用サービス」を定義し、「ｓｅｒｖｉｃｅ＿ｔｙｐｅ」に「０ｘＡＢ」を記述する。
【００６５】
上記したように、メタデータを専用で伝送するサービスをサービス種別情報として定義して伝送することで、データ送出装置１００は、複数のサービスのメタデータを一括して効率的に送出することができる。
【００６６】
この結果、より利便性の高いデジタル放送信号を送出することができるデジタル放送のデータ送出方法を提供することができる。
【００６７】
ＴＳ形式の放送信号を受信する受信装置は、ＴＳを受信する場合、受信するＴＳをＰＩＤ(パケットＩＤ)毎の各パケットに分離する。受信装置は、分離したパケットからＰＳＩ／ＳＩテーブルを取得する。受信装置は、ＰＳＩ／ＳＩテーブルの記述子を読み込み、記述子領域に挿入されているサービスリスト記述子を読み込む。
【００６８】
受信装置は、サービス記述リストの「ｓｅｒｖｉｃｅ＿ｔｙｐｅ」の値を確認する。受信装置は、「ｓｅｒｖｉｃｅ＿ｔｙｐｅ」の値が「０ｘＡＢ」である場合、当該サービス種別情報が記述されているサービスがメタデータ専用データであることを認識する。この場合には、受信装置は、メタデータ専用データのサービスのパケットを抽出することにより、複数サービスのメタデータをまとめて取得することができる。
【００６９】
また、データ送出装置１００は、ＳＤＴに挿入されるリンク記述子のリンク種別情報においてメタデータの伝送位置を指定することができる。この場合、受信装置は、当該サービスに関わるメタデータの伝送位置を、リンク記述子を読むことにより認識することができる。この為、データ送出装置１００は、受信装置に効率的な処理を行わせることができる。
【００７０】
図７は、ＳＤＴの記述子領域に挿入されるリンク記述子の例について説明する為の説明図である。
【００７１】
ＰＳＩ／ＳＩ生成部１３１は、例えば、図７に示すリンク記述子（ｌｉｎｋａｇｅ＿ｄｅｓｃｒｉｐｔｏｒ）をＳＤＴの記述子領域に挿入する。
【００７２】
リンク記述子は、各種のデータへのリンク先を記述する為の記述子である。図７に示すように、サービスリスト記述子は、「ｄｅｓｃｒｉｐｔｏｒ＿ｔａｇ」、「ｄｅｓｃｒｉｐｔｏｒ＿ｌｅｎｇｔｈ」、「ｔｒａｎｓｐｏｒｔ＿ｓｔｒｅａｍ＿ｉｄ」、「ｏｒｉｇｉｎａｌ＿ｎｅｔｗｏｒｋ＿ｉｄ」、「ｓｅｒｖｉｃｅ＿ｉｄ」、及び「ｌｉｎｋａｇｅ＿ｔｙｐｅ」などのフィールドを有する。
【００７３】
「ｄｅｓｃｒｉｐｔｏｒ＿ｔａｇ」は、当該記述子がリンク記述子であることを示す値を記述するためのフィールドである。「ｄｅｓｃｒｉｐｔｏｒ＿ｌｅｎｇｔｈ」は、リンク記述子の記述子長を記述するためのフィールドである。
【００７４】
「ｔｒａｎｓｐｏｒｔ＿ｓｔｒｅａｍ＿ｉｄ」は、リンク先のサービスを含むＴＳを特定するための記述子を記載するためのフィールドである。「ｏｒｉｇｉｎａｌ＿ｎｅｔｗｏｒｋ＿ｉｄ」は、リンク先のサービスが伝送されているネットワークを特定するための記述子を記載するためのフィールドである。「ｓｅｒｖｉｃｅ＿ｉｄ」は、リンク先のサービスを記述子を記載するためのフィールドである。
【００７５】
「ｌｉｎｋａｇｅ＿ｔｙｐｅ」は、リンク先のサービスの種別を示す値を記述するためのフィールドである。
【００７６】
ＰＳＩ／ＳＩ生成部１３１は、リンク先のサービスの種類に応じて所定の値を「ｌｉｎｋａｇｅ＿ｔｙｐｅ」に入力する。ＰＳＩ／ＳＩ生成部１３１は、外部から入力される番組付加情報、または属性情報に基づいてサービスの種別を判別する。
【００７７】
リンク記述子によりリンクされるサービスには、情報サービス、電子番組ガイド（ＥＰＧ）サービス、ＣＡ代替サービス、全てのネットワーク／ブーケＳＩを含むトランスポートストリーム、代替サービス、データ放送サービスなどの種類が存在する。さらに、本実施形態では、メタデータ専用サービスが存在する。
【００７８】
ＰＳＩ／ＳＩ生成部１３１は、リンク先のサービスの種別と「ｌｉｎｋａｇｅ＿ｔｙｐｅ」に入力する値とを対応付けたデータテーブル１３１ｂを備える。
【００７９】
ＰＳＩ／ＳＩ生成部１３１は、外部から入力される番組付加情報、または属性情報に基づいてサービスの種別を判別する。ＰＳＩ／ＳＩ生成部１３１は、判別した種類に基づいてデータテーブル１３１ｂを参照し、「ｌｉｎｋａｇｅ＿ｔｙｐｅ」に値を記述する。
【００８０】
図８は、図７に示す「ｌｉｎｋａｇｅ＿ｔｙｐｅ」に入力する値とサービスの種別とについて説明する為の説明図である。
【００８１】
リンク先のサービスの種別が「情報サービス」である場合、ＰＳＩ／ＳＩ生成部１３１は、「ｌｉｎｋａｇｅ＿ｔｙｐｅ」に「０ｘ０１」を記述する。リンク先のサービスの種別が「電子番組ガイドサービス」である場合、ＰＳＩ／ＳＩ生成部１３１は、「ｌｉｎｋａｇｅ＿ｔｙｐｅ」に「０ｘ０２」を記述する。リンク先のサービスの種別が「ＣＡ代替サービス」である場合、ＰＳＩ／ＳＩ生成部１３１は、「ｌｉｎｋａｇｅ＿ｔｙｐｅ」に「０ｘ０３」を記述する。
【００８２】
リンク先のサービスの種別が「全てのネットワーク／ブーケＳＩを含むトランスポートストリーム」である場合、ＰＳＩ／ＳＩ生成部１３１は、「ｌｉｎｋａｇｅ＿ｔｙｐｅ」に「０ｘ０４」を記述する。リンク先のサービスの種別が「代替サービス」である場合、ＰＳＩ／ＳＩ生成部１３１は、「ｌｉｎｋａｇｅ＿ｔｙｐｅ」に「０ｘ０５」を記述する。リンク先のサービスの種別が「データ放送サービス」である場合、ＰＳＩ／ＳＩ生成部１３１は、「ｌｉｎｋａｇｅ＿ｔｙｐｅ」に「０ｘ０６」を記述する。
【００８３】
また、ＰＳＩ／ＳＩ生成部１３１は、リンク先のサービスの種別が「メタデータ専用サービス」である場合、「ｌｉｎｋａｇｅ＿ｔｙｐｅ」に「０ｘ０７」を記述する。
【００８４】
上記したように、データ送出装置１００は、メタデータを専用で伝送するサービスへのリンクをリンク記述子に記述して伝送する。これにより、サービス単位でメタデータの伝送位置を指定することが可能になる。この結果、データ送出装置１００は、当該サービスに関するメタデータの伝送位置を受信装置に容易に認識させることが出来る。
【００８５】
この結果、より利便性の高いデジタル放送信号を送出することができるデジタル放送のデータ送出方法を提供することができる。
【００８６】
受信装置は、ＴＳを受信する場合、受信するＴＳをＰＩＤ(パケットＩＤ)毎の各パケットに分離する。受信装置は、分離したパケットからＰＳＩ／ＳＩテーブルを取得する。受信装置は、ＳＤＴの記述子を読み込み、記述子領域に挿入されているリンク記述子を読み込む。
【００８７】
受信装置は、リンク記述子の「ｌｉｎｋａｇｅ＿ｔｙｐｅ」の値を確認する。受信装置は、「ｌｉｎｋａｇｅ＿ｔｙｐｅ」の値が「０ｘ０７」である場合、「ｓｅｒｖｉｃｅ＿ｉｄ」により示されるサービスがメタデータ専用データであることを認識する。この場合には、受信装置は、リンク先のサービスのパケットを抽出することにより、サービスに関するメタデータを容易に取得することができる。
【００８８】
なお、この発明は、上記した実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【００８９】
たとえば、メタデータの伝送においては図１におけるＩＰパケット多重化部１４２でのＩＰパケット多重化方式の代わりにモジュール化してＤＳＭ−ＣＣセクション形式にマッピングするデータカルーセル伝送方式を適用してもよい。
【符号の説明】
【００９０】
１００…データ送出装置、１１１…映像エンコーダ、１１２…映像変換部、１２１…音声エンコーダ、１２２…音声変換部、１３１…ＰＳＩ／ＳＩ生成部、１３１ａ…データテーブル、１３１ｂ…データテーブル、１４１…メタデータ生成部、１４２…ＩＰパケット多重化部、１５０…マルチプレクサ、１６０…伝送路符号化部。
【図１】
2011223353.tif 000003
【図２】
2011223353.tif 000004
【図３】
2011223353.tif 000005
【図４】
2011223353.tif 000006
【図５】
2011223353.tif 000007
【図６】
2011223353.tif 000008
【図７】
2011223353.tif 000009
【図８】
2011223353.tif 000010